(57)【要約】      （修正有）【課題】パネル状のＬＥＤライトによる最適な照明の確保を容易とする照明用支持具を提供する。【解決手段】本照明用支持具１は、床面に設置されるスタンド２に対して鉛直軸Ｖを中心に回動可能に取り付けられるフレーム８と、該フレーム８に対して水平軸Ｈを中心に回動可能に取り付けられるクリップ１１ａ，１１ｂとを備え、このクリップ１１ａ，１１ｂがパネル状のＬＥＤライト３を支持する。【選択図】図１
0003170083.tif 000002
【実用新案登録請求の範囲】
【請求項１】
パネル状のＬＥＤライトを支持する照明用支持具であって、
床面に設置され又は構造物に固定される基部に対し、第一の軸を中心に回動可能に取り付けられる第一の回動部と、
前記第一の回動部に対し、前記第一の軸に直交する第二の軸を中心に回動可能に取り付けられる第二の回動部とを備え、
前記ＬＥＤライトが前記第二の回動部に支持されることを特徴とする照明用支持具。
【請求項２】
前記ＬＥＤライトが矩形状を呈し、その対向する一対の辺縁部が前記第二の回動部により支持されることを特徴とする請求項１に記載の照明用支持具。
【請求項３】
前記ＬＥＤライトが円形状を呈し、その周縁部のうち円形状の中心を挟んで対向する一対の部分が前記第二の回動部により支持されることを特徴とする請求項１に記載の照明用支持具。
【考案の詳細な説明】
【技術分野】
【０００１】
本考案は、パネル状のＬＥＤライトを支持する照明用支持具に関する。
【背景技術】
【０００２】
写真館等における撮影用照明として、従来、タングステンライトが多用されていたが、最近ではパネル状のＬＥＤライトも使用される。このようなＬＥＤライトは、写真館等のスタジオでは、天井や壁面、その他の場所に固定設置されて用いられている（特許文献１参照）。
【先行技術文献】
【特許文献】
【０００３】
【特許文献１】特開２００８−４６４１０号公報
【考案の概要】
【考案が解決しようとする課題】
【０００４】
しかしながら、ＬＥＤライトが固定設置されていると、被写体に対して最適な距離や角度で光を当てようとしたときに、被写体を動かさなければならない。特に人物撮影の場合には、光の当たり方を調整するために被写体に微妙な動作を求めなければならなくなり、最適な照明を確保することが容易ではなく、演出の幅も限られるという問題があった。
【０００５】
また、被写体を動かすと、これをフレームに収めていたカメラとの位置関係も変わってしまうので、場合によってはカメラも動かさなければならなくなり（さらに必要に応じて被写体とＬＥＤライトとの位置関係も再調整しなければならなくなり）、撮影までに時間がかかるという問題もあった。
【０００６】
本考案は、上記の事情に鑑みてなされたもので、ＬＥＤライトによる最適な照明の確保を容易とする照明用支持具を提供することを課題としている。
【課題を解決するための手段】
【０００７】
上記課題を解決するために、請求項１に係る考案は、パネル状のＬＥＤライトを支持する照明用支持具であって、床面に設置され又は構造物に固定される基部に対し、第一の軸を中心に回動可能に取り付けられる第一の回動部と、前記第一の回動部に対し、前記第一の軸に直交する第二の軸を中心に回動可能に取り付けられる第二の回動部とを備え、前記ＬＥＤライトが前記第二の回動部に支持されることを特徴とする。
【０００８】
請求項２に係る考案は、請求項１に記載の照明用支持具において、前記ＬＥＤライトが矩形状を呈し、その対向する一対の辺縁部が前記第二の回動部により支持されることを特徴とする。
【０００９】
請求項３に係る考案は、請求項１に記載の照明用支持具において、前記ＬＥＤライトが円形状を呈し、その周縁部のうち円形状の中心を挟んで対向する一対の部分が前記第二の回動部により支持されることを特徴とする。
【００１０】
このような本考案によれば、照明用支持具が、床面に設置され又は構造物に固定される基部に対して第一の軸を中心に回動可能に取り付けられる第一の回動部と、第一の回動部に対して第一の軸に直交する第二の軸を中心に回動可能に取り付けられる第二の回動部とを備え、ＬＥＤライトが第二の回動部に支持されるので、ＬＥＤライトを第一の回動部及び第二の回動部により第一の軸回り及び第二の軸回りに回転させることによって、三次元空間内のあらゆる方向に向けることができ、ＬＥＤライトによる最適な照明の確保を容易とすることができる。
【考案の効果】
【００１１】
本考案は、ＬＥＤライトによる最適な照明の確保を容易にするという効果を奏する。
【図面の簡単な説明】
【００１２】
【図１】考案を実施するための形態に係る照明用支持具の正面図及び側面図である。
【図２】図１の照明用支持具でＬＥＤライトを水平軸回りに回動させた正面図及び側面図である。
【図３】図２の照明用支持具の斜視図である。
【図４】考案を実施するための形態に係る他の照明用支持具の正面図及び側面図である。
【考案を実施するための形態】
【００１３】
本考案を実施するための形態について、図面を用いて説明する。
【００１４】
図１乃至３は、本形態に係る照明用支持具を示す。この照明用支持具１は、床面に設置される汎用のスタンド２に取り付けられ、パネル状のＬＥＤライト３を支持する。ここでは、スタンド２は、複数の円筒体が入れ子式に連設されてなり長手方向に伸縮自在な胴部４と、胴部４の起立を三方から支え、スタンド２の不使用時には胴部４に沿うように畳むことができる脚部５ａ，５ｂ，５ｃとを有する。また、ＬＥＤライト３は一辺の長さが９０ｃｍ程度の正方形状を呈し、その辺縁部６ａ，６ｂ，６ｃ，６ｄに内設された図示を略すＬＥＤの光が導光板に導光され、発光部７が発光するようになっている。
【００１５】
照明用支持具１は、金属棒材の折曲加工等によりコ字状に形成されたフレーム８と、樹脂又は金属により形成されて下方に開放した円形孔９が設けられたブラケット１０と、樹脂又は金属を樋状に加工してコ字状の断面を備える一対のクリップ１１ａ，１１ｂとを有する。
【００１６】
フレーム９はコ字状を形成する水平部１２と鉛直部１３ａ，１３ｂとを備え、ブラケット１０は水平部１２の略中央に固定され、クリップ１１ａ，１１ｂはそれぞれネジ部材１４ａ，１４ｂにより鉛直部１３ａ，１３ｂの端部に回動可能に取り付けられている。
【００１７】
この照明用支持具１によりＬＥＤライト３を支持する場合には、その対抗する一対の辺縁部６ａ，６ｂをクリップ１１ａ，１１ｂの樋状内部に係合させてクリップ１１ａ，１１ｂに辺縁部６ａ，６ｂを挟持させ、ブラケット１０の円形孔９にスタンド２の胴部４の上端部１５を嵌挿させればよい。これにより、フレーム８は胴部４に対し、略鉛直方向に延在する鉛直軸Ｖを中心に回動可能となり、クリップ１１ａ，１１ｂ及びＬＥＤライト３はフレーム８に対し、略水平方向に延在する水平軸Ｈを中心に回動可能となる（図２及び３参照）。
【００１８】
すなわち、この照明用支持具１では、ＬＥＤライト３をフレーム８及びクリップ１１ａ，１１ｂにより鉛直軸Ｖ回り及び水平軸Ｈ回りに回転させることによって、発光部７の照明方向を自由に調整することができる。さらに、胴部４の鉛直軸Ｖに沿った伸縮機能により発光部７の高さを調整することも可能で、ＬＥＤライト３による最適な照明の確保が容易となっている。
【００１９】
なお、本考案の実施形態は上述したものに限られず、本考案の趣旨を逸脱しない範囲で適宜変更等してもよい。
【００２０】
例えばＬＥＤライト３は正方形状でなくてもよく、図４に示す円形状等であってもかまわない。図４においては、フレーム８がコ字状ではなくＬＥＤライト３の形状に合わせて円弧状に形成され、クリップ１１ａ，１１ｂは、ＬＥＤライト３の周縁部１６のうち円形状の中心Ｏを挟んで対向する部分１７ａ，１７ｂを挟持することにより、ＬＥＤライト３を支持している。
【００２１】
また、照明用支持具１がスタンド２に取り付けられる際には、ブラケット１０の円形孔９と胴部４の上端部１５の雌雄が逆でもよく、あるいは、照明用支持具１がスタンド２に取り付けられずに、スタジオの天井や壁、あるいは、それらに設置されたガイドレール等の構造物に固定されたものに対し、回動可能に取り付けられてもかまわない。
【００２２】
さらに、照明用支持具１がＬＥＤライト３を支持する箇所は、その左右両側でなくてもよく、ＬＥＤライト３を裏面その他の側から支持してもかまわない。
【符号の説明】
【００２３】
１    照明用支持具
２    スタンド（基部）
３    ＬＥＤライト
６ａ，６ｂ    辺縁部（一対の辺縁部）
７    （ＬＥＤライトの）発光部
８    フレーム（第一の回動部）
１１ａ，１１ｂ    クリップ（第二の回動部）
１６  周縁部
１７ａ，１７ｂ  （周縁部の）部分（一対の部分）
Ｈ    水平軸（第二の軸）
Ｖ    鉛直軸（第一の軸）
【図１】
0003170083.tif 000003
【図２】
0003170083.tif 000004
【図３】
0003170083.tif 000005
【図４】
0003170083.tif 000006